(57)【要約】【課題】ポインティングデバイスを筐体に実装する際の組立て性を高めることができる電子機器を提供する。【解決手段】外壁１０ｃを有する筐体１０は、平坦な入力面１８ａを筐体１０の内面１０ｂに重ねて、ポインティングデバイス１７を収容している。筐体１０の外壁１０ｃは筐体１０の外方に露出された外面１０ａのうちポインティングデバイス１７の入力面１８ａに対応する位置に入力操作用の操作領域３０を設けている。これにより、ポインティングデバイス１７は入力面１８ａを筐体１０の内面１０ｂに重ねた状態で筐体１０に収容できるので、組立て性が向上する。【選択図】    図２
2004227222.tif 000002
【特許請求の範囲】
【請求項１】
外面を有する筐体と、
平坦な入力面を有し、この入力面を上記筐体の内面に重ねて上記筐体に収容されているポインティングデバイスと、
上記筐体の外面のうち上記ポインティングデバイスの少なくとも一部に対応する位置に設けられた操作領域と、を設けたことを特徴とする電子機器。
【請求項２】
上記操作領域は凹部を有することを特徴とする請求項１に記載の電子機器。
【請求項３】
上記操作領域は凸部を有することを特徴とする請求項１に記載の電子機器。
【請求項４】
上記操作領域に、この領域を表示するシールが貼り付けられていることを特徴とする請求項１〜３のうちのいずれか１項に記載の電子機器。
【請求項５】
上記操作領域に、この領域を表示する塗装層が設けられていることを特徴とする請求項１〜３のうちのいずれか１項に記載の電子機器。
【請求項６】
上記操作領域がその周囲とは異なる表面粗さに形成されていることを特徴とする請求項１〜３のうちのいずれか１項に記載の電子機器。
【請求項７】
上記操作領域がメッシュ状に形成されていることを特徴とする請求項１〜３のうちのいずれか１項に記載の電子機器。
【請求項８】
上記操作領域に複数の凹みが設けられていることを特徴とする請求項１〜３のうちのいずれか１項に記載の電子機器。
【請求項９】
上記操作領域に複数の突起が設けられていることを特徴とする請求項１〜３のうちのいずれか１項に記載の電子機器。
【請求項１０】
上記操作領域が互いに異なる入力操作を実行する複数の操作セクションに分割されていることを特徴とする請求項１〜３のいずれか１項に記載の電子機器。
【請求項１１】
透明な外壁を有する筐体と、
平坦な入力面を有し、この入力面を上記筐体の内面に重ねて上記筐体に収容されているポインティングデバイスと、を具備しており、
上記筐体の内面と上記ポインティングデバイスとの間の少なくとも一部に対応する位置に、上記筐体の内面の他の部分とは異なる色の着色層を設けたことを特徴とする電子機器。
【請求項１２】
上記筐体の外壁は上記筐体の外方に露出された外面を有し、この外面のうち上記ポインティングデバイスの少なくとも一部に対応する位置に、入力操作用の操作領域を設けたことを特徴とする請求項１１に記載の電子機器。
【請求項１３】
上記操作領域は凹部を有することを特徴とする請求項１２に記載の電子機器。
【請求項１４】
上記筐体は樹脂により形成されていることを特徴とする請求項１又は１１に記載の電子機器。
【請求項１５】
上記筐体の外方に露出された外面はパームレストを有し、上記操作領域が上記パームレストに設けられていることを特徴とする請求項１又は１２に記載の電子機器。
【発明の詳細な説明】
【０００１】
【発明の属する技術分野】
本発明は、平坦な入力面を有するポインティングデバイスを備えたポータブルコンピュータのような電子機器に関する。
【０００２】
【従来の技術】
例えばポータブルコンピュータのような電子機器には、前部筐体と後部筐体とにより構成されて外壁を形成する筐体に、平坦な入力面を有する入力装置を収容したものが知られている。この種の入力装置としては、例えば、静電容量を感知するシートを用いて情報を入力するポインティングデバイスや、圧力を感知する感圧フィルムを用いて情報を入力するタッチパネル等がある。
【０００３】
入力装置を備えた電子機器は、従来、前部筐体の一部を開口させ、この開口に対応する位置に入力面が設けられるように入力装置を前部筐体の内面側に配置している。前部筐体の内面と入力面との間には、入力面を入力操作から保護する保護シートが設けられている。保護シートは前部筐体の開口を閉塞するように前部筐体の内面に重ねられている。入力装置と保護シートとの間は枠状の支持部材で密閉されている。入力装置は支持部材及び保護シートを介して接続部材により前部筐体と連結されている。そして、入力装置を覆うように前部筐体に後部筐体を連結させることで、入力装置を筐体の内部に収容している（例えば、特許文献１参照。）。
【０００４】
【特許文献１】
特開２００２−３２９９７８号公報（段落００２２〜段落００３８、図３）
【０００５】
【発明が解決しようとする課題】
上述のように、特許文献１に記載されている技術では、筐体に設けられた開口を閉塞するように入力面を保護する保護シートを設け、この保護シートを介して入力装置を前部筐体に連結している。そのため、入力装置を筐体に収容する際の作業工程が多く、組立てが面倒である。
【０００６】
本発明は、このような事情にもとづいてなされたもので、ポインティングデバイスを筐体に収容する際の組立て性を高めることができる電子機器の提供を目的とする。
【０００７】
【課題を解決するための手段】
上記目的を達成するために、本発明の１つの形態に係る電子機器は、外面を有する筐体と、平坦な入力面を有し、この入力面を上記筐体の内面に重ねて上記筐体に収容されているポインティングデバイスと、上記筐体の外面のうち上記ポインティングデバイスの少なくとも一部に対応する位置に設けられた操作領域と、を設けたことを特徴とする。
【０００８】
この発明によれば、入力面を筐体の内面に重ねてポインティングデバイスを筐体内に収容するので、入力面を保護する保護カバーが不要であり、組立てが容易である。
【０００９】
【発明の実施の形態】
以下、本発明の第１の実施形態を、電子機器としてのポータブルコンピュータに適用した図１〜図３を参照して説明する。
【００１０】
図１は、ノート型のポータブルコンピュータ１を開示している。このポータブルコンピュータ１は、機器本体２と、液晶ディスプレイユニット３とを備えている。
【００１１】
機器本体２は、不透明に着色された樹脂製の筐体１０を有している。この筐体１０は、ケース１１とカバー１２とを有して、偏平な箱状に形成されている。ケース１１とカバー１２とからなる筐体１０の外壁１０ｃは、筐体１０の外方に露出された外面１０ａを有している。
【００１２】
カバー１２は、第１カバー１２ａと第２カバー１２ｂとを有している。第１カバー１２ａの外方に露出された外面はパームレスト１３を有している。第２カバー１２ｂは第１カバー１２ａの後方に配置されており、この第２カバー１２ｂにキーボード１４が取付けられている。なお、この実施形態では、カバー１２を複数の部材（第１カバー１２ａ及び第２カバー１２ｂ）で形成しているが、カバー１２は１つの部材で形成してもよい。第２カバー１２ｂの後端部には、筐体１０の幅方向に離間して一対のディスプレイ支持の脚部１５が設けられている。
【００１３】
液晶ディスプレイユニット３は、ディスプレイハウジング２０及びこのディスプレイハウジング２０に収容された液晶パネル２１を備えている。ディスプレイハウジング２０の前壁には、表示用の開口部２２が設けられている。この開口部２２は前壁の大部分にわたる大きさを有しており、この開口部２２を通じて液晶パネル２１の表示画面がディスプレイハウジング２０の外方に露出されている。
【００１４】
ディスプレイハウジング２０は、その一端部に一対の連結凹部２３を有している。これら連結凹部２３は、ディスプレイハウジング２０の前方、下方、後方に向けて開放する窪みにて構成されている。連結凹部２３は、ディスプレイハウジング２０の幅方向に離間して配置されており、夫々筐体１０の脚部１５に導かれている。そして、これら連結凹部２３は、筐体１０の後端部に夫々ヒンジ金具（図示せず）を介して回動可能に支持されている。
【００１５】
そのため、液晶ディスプレイユニット３は、パームレスト１３やキーボード１４を上方から覆うように倒される閉じ位置と、パームレスト１３やキーボード１４を露出させるように起立する開き位置とにわたって回動可能となっている。なお、図１では、ポータブルコンピュータ１を開き位置で示している。
【００１６】
筐体１０の内部には、図２及び図３に示すように、プリント配線板１６、ＨＤＤ（図示せず）、及び、入力装置としてのポインティングデバイス１７等が収容されている。プリント配線板１６及びＨＤＤは底壁にねじ止めされている。ポインティングデバイス１７は入力シート１８と駆動装置（図示せず）とを備えている。入力シート１８は、例えば静電容量を感知するシートであって、一方の面が平坦な入力面１８ａとなっている。駆動装置は、入力シート１８と電気的に接続されている。このポインティングデバイス１７は、入力面１８ａを筐体１０の内面１０ｂ、例えば第１カバー１２ａの内面中央部に重ねて貼り付けることで筐体１０に収容されている。
【００１７】
ところで、このポータブルコンピュータ１では、筐体１０が不透明に着色された樹脂製であり、ポインティングデバイス１７が筐体１０内に収容されているので、筐体１０の外側からでは入力面１８ａの位置が視認できない。そのため、このポータブルコンピュータ１では、筐体１０の外面１０ａのうち、ポインティングデバイス１７の少なくとも一部、例えば、入力面１８ａの略全面に対応する位置に入力操作用の操作領域３０を設けている。つまり、このポータブルコンピュータ１では、入力シート１８が第１カバー１２ａの内面中央部に重ねられているため、操作領域３０は第１カバー１２ａの外面であるパームレスト１３の中央部に設けられることとなる。
【００１８】
操作領域３０は、視覚或いは触覚によりその周囲と判別できるようにすればよい。操作領域３０は、例えば、先端面３１ａが入力面１８ａと実質的に同じ面積となるように形成された凹部３１を有するようにすることで実現できる。すなわち、凹部３１の底面３１ａが操作領域３０となる。
【００１９】
なお、筐体１０の内面１０ｂの操作領域３０に対応する位置は、図３（Ａ）に示すように、周囲と面一としてもよい。また、入力面１８ａを筐体１０の内面１０ａに重ねる際に入力シート１８と操作領域３０との位置合わせがし易いように、筐体１０の内面１０ｂの操作領域３０に対応する位置を周囲の面と非連続となる面としてもよい。これは、筐体１０の成型時に、先端面（下面）３２ａが入力面１８ａと実質的に同じ面積となる凸部３２（図３（Ｂ）参照）を筐体１０の内面１０ｂに形成することで実現できる。
【００２０】
このポータブルコンピュータ１では、ポインティングデバイス１７を以下のようにして筐体１０に収容する。まず、駆動装置と電気的に接続させた入力シート１８の入力面１８ａを筐体１０の内面１０ｂ（第１カバー１２ａの内面）の操作領域３０に対応する位置に重ねる。粘着材で入力面１８ａを第１カバー１２ａの内面に貼り付ける。なお、入力面１８ａに予め粘着層を形成しておいてもよい。ポインティングデバイス１７が貼り付けられた第１カバー１２ａ及びキーボード１４が取付けられた第２カバー１２ｂをケース１１に夫々取付ける。以上により、ポインティングデバイス１７を筐体１０に収容できる。
【００２１】
上述のように、このポータブルコンピュータ１によれば、入力面１８ａを筐体１０の内面１０ｂに重ねてポインティングデバイス１７を筐体１０に収容できるので、入力面１８ａを保護する保護カバーが不要である。したがって、ポインティングデバイス１７を筐体１０に収容する際の組立て性を高めることができる。しかも、保護カバーを省略できるので、ポータブルコンピュータ１を軽量化できる。
【００２２】
さらに、このポータブルコンピュータ１では、入力シート１８を筐体１０の内面１０ｂに貼り付けることでポインティングデバイス１７を筐体１０に固定しているため、保護カバーだけでなくポインティングデバイス１７を筐体１０に取付けるための取付け部材も省略できる。したがって、さらなる組立て性の向上と軽量化が実現できる。
【００２３】
また、このポータブルコンピュータ１では、筐体１０の外方に露出された外面１０ａのうちポインティングデバイス１７の少なくとも一部に対応する位置に入力操作用の操作領域３０を設けたので、入力面１８ａを筐体１０の内面１０ｂに重ねてポインティングデバイス１７を筐体１０に収容しても、筐体１０の外側から入力面１８ａの位置を容易に判別でき、操作性がよい。
【００２４】
しかも、操作領域３０は、視覚或いは触覚によりその周囲と判別されるものであればよく、筐体１０にポインティングデバイス１７を外部に露出させるための開口を設ける必要もない。したがって、筐体１０をデザインする上での自由度が向上するので、意匠性にも優れている。
【００２５】
さらに、この実施形態では、筐体１０の成型時に所定の位置に凹部３１を形成することで、操作領域３０を筐体１０の外面１０ａに設けることができる。すなわち、操作領域３０を設けるために製造工程の追加を必要としないので、操作領域３０の形成が容易である。
【００２６】
また、筐体１０を樹脂製とすることは、静電容量を感知する入力シート１８の入力面１８ａを筐体１０に接触するように重ねても、ポインティングデバイス１７の動作に影響を与え難い点で好ましい。さらに、筐体１０の外面１０ａにはパームレスト１４が設けられており、このパームレスト１４に操作領域３０が設けられているので、ポインティングデバイス１７の操作性がよい。
【００２７】
以下、本発明の第２の実施形態を、図４を参照して説明する。
このポータブルコンピュータ１では、操作領域３０が凸部３３を有している。すなわち、凸部３３の先端面３３ａが操作領域３０となる。凸部３３は、例えば、先端面（上面）３３ａが入力面１８ａと実質的に同じ面積となるように形成されている。なお、筐体１０の内面１０ｂの操作領域３０に対応する位置は、図４（Ａ）に示すように、周囲と面一としてもよい。また、入力面１８ａを筐体１０の内面１０ｂに重ねる際に入力シート１８と操作領域３０との位置合わせがし易いように、筐体１０の内面１０ｂの操作領域３０に対応する位置を周囲の面と非連続となる面としてもよい。これは、例えば、底面３４ａが入力面１８ａと実質的に同じ面積となる凹部３４を筐体１０の内面１０ｂに形成することで実現できる（図４（Ｂ）参照）。なお、他の構成は、図示しない部分を含めて上述した第１の実施形態と同じであるから、重複する説明は図に同符号を付して省略する。
【００２８】
この実施形態によれば、第１の実施形態と同様の効果が得られる。また、筐体１０の成型時に所定の位置に凸部３３を形成することで、操作領域３０を筐体１０の外面１０ａに設けることができる。すなわち、操作領域３０を設けるために製造工程の追加を必要としないので、操作領域３０の形成が容易である。
【００２９】
以下、本発明の第３の実施形態を、図５を参照して説明する。
このポータブルコンピュータ１は、操作領域３０が有する凹部３１の底面３１ａの略全面に操作領域３０を表示するシールが貼り付けられている。シール３５には、紙又は樹脂製のフィルムの一方の面３５ａに粘着材を塗布したものを用いることができる。また、シール３５の粘着材が塗布されていない他方の面３５ｂには、所望により、色或いは柄を印刷等により施してもよい。また、シール３５は、平坦に形成された筐体１０の外面１０ａに貼り付けて操作領域３０を表示させてもよい。また、第１或いは第２の実施形態のように、操作領域３０が凹部３１或いは凸部３３を有するように形成し、この凹部３１の底面３１ａ或いは凸部３３の先端面３３ａにシール３５を貼り付けてもよい。平坦に形成された筐体１０の外面１０ａに貼り付ける場合には、操作領域３０を良好に表示するために、シール３５の他方の面３５ｂを筐体１０の外面１０ａとは異なる色或いは柄とするとよい。なお、他の構成は、図示しない部分を含めて上述した第１の実施形態と同じであるから、重複する説明は図に同符号を付して省略する。
【００３０】
この実施形態によれば、第１の実施形態と同様の効果が得られる。また、操作領域３０を表示するシール３５は、所望の色或いは柄を印刷等により施すことができるので、筐体１０の意匠性を向上させることができる。
【００３１】
以下、本発明の第４の実施形態を、図６を参照して説明する。
このポータブルコンピュータ１は、操作領域３０に、この操作領域３０を表示する第１塗装層３６を設け、操作領域３０とは異なる領域に第１塗装層３６とは色或いは柄の異なる第２塗装層３７を設けている。その場合、操作領域３０は、その周囲と面一に形成してもよい。また、第１或いは第２の実施形態のように、操作領域３０が凹部３１或いは凸部３３を有するように形成し、この凹部３１の底面３１ａ或いは凸部３３の先端面３３ａに第１塗装層３６を設けてもよい。さらに、第２塗装層３７は省略してもよい。なお、他の構成は、図示しない部分を含めて上述した第１の実施形態と同じであるから、重複する説明は図に同符号を付して省略する。
【００３２】
この実施形態によれば、第１の実施形態と同様の効果が得られる。なお、筐体１０とは異なる色の第２塗装層３７を設けるとともに第１塗装層３６を省略してもよい。このようにすることにより、筐体１０の色となる操作領域３０を第２塗装層３７の色となるその周囲と区別できる。
【００３３】
以下、本発明の第５の実施形態を、図７を参照して説明する。
このポータブルコンピュータ１は、操作領域３０がその周囲とは異なる表面粗さに形成されている。このとき、第１或いは第２の実施形態のように、操作領域３０が凹部３１或いは凸部３３を有するように形成し、この凹部３１の底面３１ａ或いは凸部３３の先端面３３ａをその周囲とは異なる表面粗さに形成してもよい。操作領域３０の周囲は、操作領域３０とは異なる表面粗さに形成してもよく、粗面化しなくてもよい。さらに、操作領域３０を粗面化せず、操作領域３０の周囲を粗面化してもよい。
【００３４】
この実施形態では、筐体１０の外面１０ａを平坦に形成するとともに、操作領域３０のみ所望の表面粗さに形成している（図７参照（Ｂ）（Ｃ）参照）。なお、他の構成は、図示しない部分を含めて上述した第１の実施形態と同じであるから、重複する説明は図に同符号を付して省略する。この実施形態によれば、第１の実施形態と同様の効果が得られる。
【００３５】
以下、本発明の第６の実施形態を、図８を参照して説明する。
このポータブルコンピュータ１は、操作領域３０をその周囲と面一に形成するとともに、操作領域３０をメッシュ状に形成している。このメッシュ状の部分は、筐体１０の外壁１０ｃの操作領域３０に、例えば円形或いは多角形の孔３８を所定の間隔で設けることで形成することができる。孔３８の大きさ、形状、間隔は任意である。なお、他の構成は、図示しない部分を含めて上述した第１の実施形態と同じであるから、重複する説明は図に同符号を付して省略する。この実施形態によれば、第１の実施形態と同様の効果が得られる。
【００３６】
以下、本発明の第７の実施形態を、図９を参照して説明する。
このポータブルコンピュータ１では、操作領域３０をその周囲と面一に形成するとともに、操作領域３０に例えば半球状の複数の凹み３９を所定の間隔で形成している。これらの凹み３９の大きさ、形状、間隔は任意である。なお、他の構成は、図示しない部分を含めて上述した第１の実施形態と同じであるから、重複する説明は図に同符号を付して省略する。この実施形態によれば、第１の実施形態と同様の効果が得られる。
【００３７】
以下、本発明の第８の実施形態を、図１０を参照して説明する。
このポータブルコンピュータ１では、操作領域３０をその周囲と面一に形成するとともに、操作領域３０に例えば半球状の複数の突起４０を所定の間隔で形成している。これらの突起４０の大きさ、形状、間隔は任意である。なお、他の構成は、図示しない部分を含めて上述した第１の実施形態と同じであるから、重複する説明は図に同符号を付して省略する。この実施形態によれば、第１の実施形態と同様の効果が得られる。
【００３８】
なお、第１或いは第２の実施形態のように、操作領域３０が凹部３１或いは凸部３３を有するように形成し、第６の実施形態に記載したメッシュ状部分、第７の実施形態に記載した複数の複数の凹み３９、及び第８の実施形態に記載した複数の突起４０を、凹部３１の底面３１ａ或いは凸部３３の先端面３３ａに形成してもよい。
【００３９】
以下、本発明の第９の実施形態を、図１１を参照して説明する。
このポータブルコンピュータ１では、入力シート１８が互いに異なる入力を実行する複数、例えば２つの入力セクションに分割されたポインティングデバイス１７を採用している。例えば、第１入力セクションは、表示画面上のポインタの移動等の入力操作に用いられ、第２の入力セクションは、画面のスクロール等の入力操作に用いられる。これに伴い、操作領域３０は、ポインティングデバイス１７の２つの入力セクションに対応させて、互いに異なる入力操作を実行する第１操作セクション４１及び第２操作セクション４２に分割されている。
【００４０】
この実施形態では、操作領域３０が凹部３１を有するように形成し、この凹部３１内に第１操作セクション４１と第２操作セクション４２とを分割するリブ４３を設けている。重複する説明は図に同符号を付して省略する。この実施形態によれば、第１の実施形態と同様の効果が得られる。
【００４１】
なお、入力シート１８の入力セクションの数は任意であり、操作セクションは入力セクションの一部又は全部に対応させて分割させればよい。また、操作セクションは、リブにより分割するだけでなく、溝、シール、塗装、メッシュ、表面粗さ、複数の凹み、複数の突起等、或いはこれらの組合せにより、隣り合う操作セクションが判別できるように分割してもよい。さらに、操作領域３０は、凹部３１を有していなくてもよく、操作領域３０をその周囲と面一にする或いは操作領域３０が凸部３３を有するようにしてもよい。その場合も、リブ、溝、シール、塗装、メッシュ、表面粗さ、複数の凹み、複数の突起等、或いはこれらの組合せにより、隣り合う操作セクションが区別できるようにすればよい。
【００４２】
以下、本発明の第１０の実施形態を、図１２を参照して説明する。
このポータブルコンピュータ１は、外壁１０ｃを有する透明な筐体１０を備えている。すなわち、ケース１１、第１カバー１２ａ、及び第２カバー１２ｂが、例えばアクリル等の透明樹脂により形成されている。なお、筐体１０は、無色透明であっても有色透明であってもよい。有色透明の場合、黒色透明、及び透明と黒色透明との中間色であるグレー系の透明を含む。
【００４３】
そして、筐体１０の内面１０ａとポインティングデバイス１７との間の少なくとも一部、この実施形態では入力面１８ａの略全域に対応する領域に第１着色層５１を設けている。また、筐体１０の内面１０ｃの操作領域３０に対応する領域以外の領域には、第１着色層５１とは異なる色の着色層５２を設けている。着色層５１，５２は、不透明層であっても透明層であってもよく、色は、黒、白、及びこれらの中間色であるグレーを含む。これら着色層５１，５２は、シールや塗装により設けることができる。
【００４４】
また、筐体１０の外面１０ａのポインティングデバイス１７の少なくとも一部、例えば入力面１８ａの略全面に対応する位置に、入力操作用の操作領域３０を設けてもよい。操作領域３０は、視覚或いは触覚によりその周囲と判別されるものであればよく、第１〜第９の実施形態に記載した操作領域３０のいずれも適用できる。なお、操作領域３０は省略可能である。この実施形態では、例えば、操作領域３０が凹部３１を有している。他の構成は、図示しない部分を含めて上述した第１の実施形態と同じであるから、重複する説明は図に同符号を付して省略する。
【００４５】
この実施形態では、筐体１０の内面１０ａの他の部分とは異なる色の着色層５１が透明筐体１０を透過して視認できるので、着色層５１により筐体１０の外方から入力面１８ａの位置が判別できる。したがって、この実施形態によれば、第１の実施形態と同様の効果が得られる。
【００４６】
なお、この実施形態では、筐体１０全体を透明にしたが、操作領域３０が設けられている部分のみを透明にすれば筐体１０全体を透明にしなくてもよい。例えば、パームレスト１３に操作領域３０が設けられているこの実施形態では、少なくとも第１カバー１２ａを透明部材にすればよい。
【００４７】
本発明では、筐体１０の内面１０ａとポインティングデバイス１７との間の少なくとも一部に筐体１０の内面１０ａの他の部分とは異なる色の着色層５１を設ければよいので、着色層５２を省略するとともに筐体１０の内面１０ａとポインティングデバイス１７との間の少なくとも一部に筐体１０の色とは異なる色の着色層５１を設けるようにしてもよい。また、着色層５１を省略するとともに筐体１０の内面１０ａとポインティングデバイス１７との間の少なくとも一部を除く領域に筐体１０の色とは異なる色の着色層５２を設けるようにしてもよい。
【００４８】
本発明は、上記第１〜第１０の実施形態に限定されるものではない。ポインティングデバイス１７の入力面１８ａは筐体１０の内面１０ｂのどこに重ねてもよく、操作領域３０はポインティングデバイス１７の少なくとも一部に対応する位置に設ければよい。
【００４９】
また、本発明に係る電子機器は、ポータブルコンピュータに制約されるものではなく、電子手帳やＰＤＡ等、種々の電子機器に広く適用することができる。
【００５０】
【発明の効果】
本発明によれば、ポインティングデバイスを筐体に実装する際の組立て性を高めることができる。
【図面の簡単な説明】
【図１】本発明の第１の実施形態に係るポータブルコンピュータを示す斜視図。
【図２】図１のポータブルコンピュータが備える筐体を一部切り欠いて示す側面図。
【図３】（Ａ）（Ｂ）は図１のポータブルコンピュータの操作領域近傍を示す断面図。
【図４】（Ａ）（Ｂ）は本発明の第２の実施形態に係るポータブルコンピュータの操作領域近傍を示す断面図。
【図５】本発明の第３の実施形態に係るポータブルコンピュータの操作領域近傍を示す断面図。
【図６】本発明の第４の実施形態に係るポータブルコンピュータの操作領域近傍を示す断面図。
【図７】（Ａ）は本発明の第５の実施形態に係るポータブルコンピュータの操作領域近傍を示す斜視図。（Ｂ）は図７（Ａ）のポータブルコンピュータの操作領域近傍を示す断面図。（Ｃ）は図７（Ｂ）中一点鎖線Ｘで囲まれた領域を拡大して示す断面図。
【図８】（Ａ）は本発明の第６の実施形態に係るポータブルコンピュータの操作領域近傍を示す斜視図。（Ｂ）は図８（Ａ）のポータブルコンピュータの操作領域近傍を示す断面図。
【図９】本発明の第７の実施形態に係るポータブルコンピュータの操作領域近傍を示す断面図。
【図１０】本発明の第８の実施形態に係るポータブルコンピュータの操作領域近傍を示す断面図。
【図１１】（Ａ）は本発明の第９の実施形態に係るポータブルコンピュータの操作領域近傍を示す斜視図。（Ｂ）は図８（Ａ）のポータブルコンピュータの操作領域近傍を示す断面図。
【図１２】本発明の第１０の実施形態に係るポータブルコンピュータのポインティングデバイス近傍を示す断面図。
【符号の説明】
１…電子機器（ポータブルコンピュータ）、１０…筐体、１０ａ…外面、１０ｂ…内面、１７…ポインティングデバイス、１８ａ…入力面、３０…操作領域、３１…凹部、３３…凸部、３５…シール、３６…塗装層、３９…凹み、４０…突起、４１，４２…操作セクション
【図１】
2004227222.tif 000003
【図２】
2004227222.tif 000004
【図３】
2004227222.tif 000005
【図４】
2004227222.tif 000006
【図５】
2004227222.tif 000007
【図６】
2004227222.tif 000008
【図７】
2004227222.tif 000009
【図８】
2004227222.tif 000010
【図９】
2004227222.tif 000011
【図１０】
2004227222.tif 000012
【図１１】
2004227222.tif 000013
【図１２】
2004227222.tif 000014